(57)【要約】【課題】複数の装置間で通信を行なう試験システムにおいて、異常が発生した部分を簡易な構成で容易に特定することが可能なモニタ装置および試験方法を提供する。【解決手段】モニタ装置１０１は、宅側装置２０２、局側装置２０１または試験用装置２０６である対象装置から異常情報を受信するための異常情報受信部５１と、異常情報受信部５１によって受信された異常情報を他のモニタ装置１０１へ送信するための異常情報送信部５２と、対象装置または他のモニタ装置１０１から異常情報を受信して、対象装置から通信信号の通信履歴をモニタ情報として取得するためのモニタ情報取得部５３と、モニタ情報取得部５３によって取得されたモニタ情報を他のモニタ装置１０１と共通の管理装置２０７へ送信するためのモニタ情報送信部５４とを備える。【選択図】図４
2012151759.tif 000002
【特許請求の範囲】
【請求項１】
試験用装置と、宅側装置と、前記宅側装置と光信号を送受信するための局側装置とを備え、直列接続された前記試験用装置、前記宅側装置および前記局側装置間で通信信号を送受信する試験システムにおいて用いられるモニタ装置であって、
前記宅側装置、前記局側装置または前記試験用装置である対象装置から異常情報を受信するための異常情報受信部と、
前記異常情報受信部によって受信された前記異常情報を他のモニタ装置へ送信するための異常情報送信部と、
前記対象装置または他の前記モニタ装置から前記異常情報を受信して、前記対象装置から前記通信信号の通信履歴をモニタ情報として取得するためのモニタ情報取得部と、
前記モニタ情報取得部によって取得された前記モニタ情報を他の前記モニタ装置と共通の管理装置へ送信するためのモニタ情報送信部とを備える、モニタ装置。
【請求項２】
前記モニタ情報取得部は、さらに、前記通信信号を送受信するための通信設定を前記モニタ情報として前記対象装置から取得する、請求項１に記載のモニタ装置。
【請求項３】
前記モニタ情報取得部は、前記対象装置が前記宅側装置である場合および前記局側装置である場合における前記モニタ情報を対比することが可能となるような前記モニタ情報を、前記宅側装置または前記局側装置から取得する、請求項１または請求項２に記載のモニタ装置。
【請求項４】
前記異常情報受信部は、発生した異常の識別情報を含む前記異常情報を前記対象装置から受信し、
前記モニタ情報送信部は、前記対象装置または他の前記モニタ装置から受信した前記異常情報に含まれる前記識別情報を、前記モニタ情報に付して前記管理装置へ送信する、請求項１から請求項３のいずれか１項に記載のモニタ装置。
【請求項５】
前記モニタ情報取得部は、さらに、前記対象装置から前記対象装置の識別情報を取得し、
前記モニタ情報送信部は、前記対象装置の識別情報を前記モニタ情報に付して前記管理装置へ送信する、請求項１から請求項４のいずれか１項に記載のモニタ装置。
【請求項６】
前記モニタ情報取得部は、前記通信信号の受信履歴および送信履歴を前記モニタ情報として前記対象装置から取得する、請求項１から請求項５のいずれか１項に記載のモニタ装置。
【請求項７】
試験用装置と、宅側装置と、前記宅側装置と光信号を送受信するための局側装置とを備え、直列接続された前記試験用装置、前記宅側装置および前記局側装置間で通信信号を送受信する試験システムにおいて用いられるモニタ装置における試験方法であって、
前記宅側装置、前記局側装置または前記試験用装置である対象装置から異常情報を受信するステップと、
受信した前記異常情報を他のモニタ装置へ送信するステップと、
前記対象装置または他の前記モニタ装置から前記異常情報を受信して、前記対象装置から前記通信信号の通信履歴をモニタ情報として取得するステップと、
取得した前記モニタ情報を他の前記モニタ装置と共通の管理装置へ送信するステップとを含む、試験方法。
【発明の詳細な説明】
【技術分野】
【０００１】
本発明は、モニタ装置および試験方法に関し、特に、光信号を送受信する局側装置および宅側装置を備えた試験システムにおいて用いられるモニタ装置、およびこのモニタ装置を用いた試験方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Asymmetric Digital Subscriber Line）およびＦＴＴＨ（Fiber To The Home）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（ＯＮＵ：Optical Network Unit）が光通信回線を共有して局側装置（ＯＬＴ：Optical Line Terminal）とのデータ伝送を行なう媒体共有形通信である受動的光ネットワーク（ＰＯＮ：Passive Optical Network）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ethernet（登録商標） PON）と、ＥＰＯＮのアクセス制御プロトコル（ＭＰＣＰ（Multi-Point Control Protocol））およびＯＡＭ（Operations Administration and Maintenance）プロトコルとが規定されている。局側装置と宅側装置との間でＭＰＣＰフレームをやりとりすることによって、宅側装置の加入、離脱、および上りアクセス多重制御などが行なわれる。
【０００４】
なお、１ギガビット／秒の通信速度を実現するＥＰＯＮであるＧＥ−ＰＯＮの次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【０００５】
このようなＰＯＮシステムにおける局側装置および宅側装置を試験する方法としては、たとえば、局側装置および宅側装置によって送受信されるフレームをモニタする方法が考えられる。このようなフレームをモニタする技術として、たとえば、特開２００６−４８４５６号公報（特許文献１）には、以下のような構成が開示されている。すなわち、ネットワークから入力されるフレームをキャプチャしてデータ保持部のメモリに記憶するフレームキャプチャ装置において、上記フレームをフィルタリングするフィルタ部と、上記フィルタ部がフィルタリングするフレームの種類を選択するフィルタ選択部と、上記フレームの種類を識別し得るトリガを判定するトリガ判定部と、複数の判定トリガの中から上記トリガ判定部で判定するトリガを選択するトリガ選択部とを備える。上記トリガ判定部は、所望のトリガを判定した場合、上記トリガ選択部に対して判定トリガの種類を切換える旨の信号を出力し、上記フィルタ選択部に対してフィルタリングするフレームの種類を切替える旨の信号を出力する。
【先行技術文献】
【非特許文献】
【０００６】
【非特許文献１】IEEE Std 802.3ah（登録商標）-2004
【特許文献】
【０００７】
【特許文献１】特開２００６−４８４５６号公報
【発明の概要】
【発明が解決しようとする課題】
【０００８】
ところで、試験用のフレームを送受信する複数の装置が設けられた試験システムにおいて、フレーム通信に異常が発生した場合、試験システムのどの部分で異常が発生したかを特定する必要がある。しかしながら、異常発生部分を特定するためには、ある一定の試験期間、各装置間でフレームを送受信させた後に、各装置で取得されたログ情報を１つ１つ検証する必要がある。このため、異常発生部分の特定には手間がかかり、また、試験期間が終了してからでないとログ情報を取得して検証を行なうことができない。また、各装置で取得したログ情報を蓄積しておくためのメモリ容量の制約により、長時間の試験では、試験期間の終了後に必要なデータが残っていない場合がある。
【０００９】
特許文献１に記載のフレームキャプチャ装置を上記試験システムに用いても、上記のような問題点を解決することは困難である。
【００１０】
この発明は、上述の課題を解決するためになされたもので、その目的は、複数の装置間で通信を行なう試験システムにおいて、異常が発生した部分を簡易な構成で容易に特定することが可能なモニタ装置および試験方法を提供することである。
【課題を解決するための手段】
【００１１】
上記課題を解決するために、この発明のある局面に係わるモニタ装置は、試験用装置と、宅側装置と、上記宅側装置と光信号を送受信するための局側装置とを備え、直列接続された上記試験用装置、上記宅側装置および上記局側装置間で通信信号を送受信する試験システムにおいて用いられるモニタ装置であって、上記宅側装置、上記局側装置または上記試験用装置である対象装置から異常情報を受信するための異常情報受信部と、上記異常情報受信部によって受信された上記異常情報を他のモニタ装置へ送信するための異常情報送信部と、上記対象装置または他の上記モニタ装置から上記異常情報を受信して、上記対象装置から上記通信信号の通信履歴をモニタ情報として取得するためのモニタ情報取得部と、上記モニタ情報取得部によって取得された上記モニタ情報を他の上記モニタ装置と共通の管理装置へ送信するためのモニタ情報送信部とを備える。
【００１２】
このような構成により、異常発生のタイミングに応答して異常発生部分の特定に必要な情報を各対象装置から取得し、これらを集約することができるため、試験期間の終了を待つことなく、試験システムにおける異常発生部分を容易に特定することができる。すなわち、異常発生時にすぐにモニタ情報を取得し、たとえば管理装置において表示することができるため、不具合箇所の早期発見が可能となる。また、各装置で取得したログ情報を蓄積しておくためのメモリ容量を低減することができる。
【００１３】
好ましくは、上記モニタ情報取得部は、さらに、上記通信信号を送受信するための通信設定を上記モニタ情報として上記対象装置から取得する。
【００１４】
このように、異常発生時に対象装置から現在の通信設定を取得する構成により、対象装置において当該通信設定用に少量の記憶容量を設ければよくなる。すなわち、局側装置、宅側装置および試験用装置の記憶容量を増やすことなく、異常原因の検証を行なうことができる。
【００１５】
好ましくは、上記モニタ情報取得部は、上記対象装置が上記宅側装置である場合および上記局側装置である場合における上記モニタ情報を対比することが可能となるような上記モニタ情報を、上記宅側装置または上記局側装置から取得する。
【００１６】
このような構成により、管理装置において各モニタ装置から取得したモニタ情報を対比して、試験システムにおける異常発生部分を容易に特定することができる。
【００１７】
好ましくは、上記異常情報受信部は、発生した異常の識別情報を含む上記異常情報を上記対象装置から受信し、上記モニタ情報送信部は、上記対象装置または他の上記モニタ装置から受信した上記異常情報に含まれる上記識別情報を、上記モニタ情報に付して上記管理装置へ送信する。
【００１８】
これにより、各モニタ装置間でモニタ情報の送信の同期を取ることなく、管理装置において、共通の異常に対応するモニタ情報を特定することができる。
【００１９】
好ましくは、上記モニタ情報取得部は、さらに、上記対象装置から上記対象装置の識別情報を取得し、上記モニタ情報送信部は、上記対象装置の識別情報を上記モニタ情報に付して上記管理装置へ送信する。
【００２０】
このような構成により、管理装置において、各対象装置のモニタ情報を容易に識別することができる。
【００２１】
好ましくは、上記モニタ情報取得部は、上記通信信号の受信履歴および送信履歴を上記モニタ情報として上記対象装置から取得する。
【００２２】
このような構成により、対象装置間の伝送路において異常が発生したか、対象装置の内部において異常が発生したかを容易に判別することができる。
【００２３】
上記課題を解決するために、この発明のある局面に係わる試験方法は、試験用装置と、宅側装置と、上記宅側装置と光信号を送受信するための局側装置とを備え、直列接続された上記試験用装置、上記宅側装置および上記局側装置間で通信信号を送受信する試験システムにおいて用いられるモニタ装置における試験方法であって、上記宅側装置、上記局側装置または上記試験用装置である対象装置から異常情報を受信するステップと、受信した上記異常情報を他のモニタ装置へ送信するステップと、上記対象装置または他の上記モニタ装置から上記異常情報を受信して、上記対象装置から上記通信信号の通信履歴をモニタ情報として取得するステップと、取得した上記モニタ情報を他の上記モニタ装置と共通の管理装置へ送信するステップとを含む。
【００２４】
このような構成により、異常発生のタイミングに応答して異常発生部分の特定に必要な情報を各対象装置から取得し、これらを集約することができるため、試験期間の終了を待つことなく、試験システムにおける異常発生部分を容易に特定することができる。すなわち、異常発生時にすぐにモニタ情報を取得し、たとえば管理装置において表示することができるため、不具合箇所の早期発見が可能となる。また、各装置で取得したログ情報を蓄積しておくためのメモリ容量を低減することができる。
【発明の効果】
【００２５】
本発明によれば、複数の装置間で通信を行なう試験システムにおいて、異常が発生した部分を簡易な構成で容易に特定することができる。
【図面の簡単な説明】
【００２６】
【図１】本発明の実施の形態に係る試験システムの試験対象であるＰＯＮシステムの概略構成を示すブロック図である。
【図２】本発明の実施の形態に係る試験システムの試験対象である局側装置におけるＯＳＵの構成を示す図である。
【図３】本発明の実施の形態に係る試験システムの試験対象である宅側装置の構成を示す図である。
【図４】本発明の実施の形態に係る試験システムの構成を示す図である。
【図５】本発明の実施の形態に係るモニタ装置の構成を示す図である。
【図６】本発明の実施の形態に係るモニタ装置が監視処理を行なう際の動作手順を定めたフローチャートである。
【発明を実施するための形態】
【００２７】
以下、本発明の実施の形態について図面を用いて説明する。なお、図中同一または相当部分には同一符号を付してその説明は繰り返さない。
【００２８】
［構成および基本動作］
図１は、本発明の実施の形態に係る試験システムの試験対象であるＰＯＮシステムの概略構成を示すブロック図である。
【００２９】
図１を参照して、ＰＯＮシステム３０１は、局側装置２０１と、光ファイバであるＮ本のＰＯＮ回線１〜Ｎ（２０３−１〜２０３−Ｎ）と、Ｎ個の光カプラ２０４−１〜２０４−Ｎと、複数の宅側装置（ＯＮＵ）２０２とを備える。局側装置２０１は、光回線ユニット（以下、ＯＳＵ（Optical Subscriber Unit）とも称する）１〜Ｎ（１２−１〜１２−Ｎ）と、局側装置２０１の全体的な制御を行なう全体制御部１１とを含む。ここで、Ｎは１以上の整数である。また、宅側装置から上位ネットワーク（以下「アップリンク」とも称する。）への方向を上り方向と称し、アップリンクから宅側装置への方向を下り方向と称する。
【００３０】
たとえば、ＰＯＮシステム３０１において、各ＰＯＮ回線は１ギガビット／秒の通信速度を実現するＥＰＯＮであるＧＥＰＯＮに対応しており、アップリンクは１０ギガビット／秒の通信速度を実現するイーサネット（登録商標）に対応する。また、ＭＰＣＰフレームによってＯＮＵの登録、離脱、ＯＮＵへの帯域割り当て、ＯＮＵからの帯域要求およびＯＮＵへのスリープ（動作停止）指示などが行なわれる。
【００３１】
局側装置２０１は、ＧＥＰＯＮに対応するＰＯＮ回線を複数回線収容する。１本のＰＯＮ回線には１または複数のＯＮＵが接続される。局側装置２０１は、これらのＰＯＮ回線からのデータをアップリンクにおける複数の通信回線にそれぞれ送信する。また、局側装置２０１は、アップリンクにおける各通信回線からのデータを対応のＰＯＮ回線における各宅側装置へ送信する。また、局側装置２０１は、ＰＯＮ回線の上り帯域および下り帯域を各宅側装置に割り当てる。また、たとえば、各宅側装置から局側装置２０１への上り光信号はバースト信号であり、局側装置２０１から各宅側装置への下り光信号は連続的な信号である。
【００３２】
より詳細には、局側装置２０１は、Ｎ本のＰＯＮ回線１〜Ｎに接続され、このＮ本のＰＯＮ回線を終端する。各ＯＳＵは、ＰＯＮ回線に対応して設けられ、対応のＰＯＮ回線に接続された１または複数のＯＮＵとフレームを送受信する。ＰＯＮ回線１〜Ｎは、光カプラ２０４−１〜２０４−Ｎにそれぞれ接続されており、これらの光カプラを介して各ＯＮＵ２０２に接続されている。
【００３３】
図２は、本発明の実施の形態に係る試験システムの試験対象である局側装置におけるＯＳＵの構成を示す図である。
【００３４】
図２を参照して、ＯＳＵ１２は、電力制御部２１と、光入力検知部２２と、電力切り替え部２３と、アップリンクＩＦ（Interface）部３１と、制御ＩＦ部３２と、受信処理部３３と、送信処理部３４と、ＰＯＮ送受信部３５と、ＰＯＮ制御部３６と、上りフレームを蓄積するＦＩＦＯ３７と、下りフレームを蓄積するＦＩＦＯ３８とを含む。
【００３５】
ＰＯＮ送受信部３５は、共通のＰＯＮ回線経由で各ＯＮＵと光信号を送受信する。すなわち、ＰＯＮ送受信部３５は、ＰＯＮ線路の親局側起点として、ＰＯＮ回線である１本の光ファイバと接続される。ＰＯＮ送受信部３５は、この光ファイバを介して各ＯＮＵと双方向通信が行なえるように、特定の波長、たとえば１３１０ｎｍ帯の上り光信号を受信し、電気信号に変換して受信処理部３３に出力するとともに、送信処理部３４から受けた電気信号を別波長の下り光信号に変換して送信する。たとえば、ＰＯＮ送受信部３５は、送信処理部３４から受けた１Ｇｂｐｓの電気信号を１４９０ｎｍ帯の下り光信号に変換して送信する。
【００３６】
受信処理部３３は、ＰＯＮ送受信部３５から受けた電気信号からフレームを再構成するとともに、フレームの種別に応じてＰＯＮ制御部３６またはＦＩＦＯ３７にフレームを振り分ける。具体的には、データフレームをＦＩＦＯ３７に出力し、制御フレームをＰＯＮ制御部３６に出力する。
【００３７】
アップリンクＩＦ部３１は、ＦＩＦＯ３７に蓄積された上りフレームをアップリンクへ出力する。また、アップリンクＩＦ部３１は、アップリンクからフレームを受けると、当該フレームが通常のデータフレームである場合にはＦＩＦＯ３８に出力し、当該フレームが制御フレームである場合にはＰＯＮ制御部３６に出力する。
【００３８】
アップリンクＩＦ部３１は、ＰＯＮ制御部３６から制御フレームを受けた場合には、ＦＩＦＯ３７からのフレーム列の合間において、当該制御フレームをＦＩＦＯ３７からのフレームよりも優先してアップリンクへ出力する。
【００３９】
送信処理部３４は、ＦＩＦＯ３８またはＰＯＮ制御部３６が送信すべきフレームを有する場合、優先順位に従ってそのフレームを受け取り、ＰＯＮ送受信部３５に出力する。
【００４０】
ＰＯＮ制御部３６は、ＭＰＣＰおよびＯＡＭなど、ＰＯＮ回線の制御および管理に関する局側処理を行なう。すなわち、ＰＯＮ回線に接続されている各ＯＮＵとＭＰＣＰメッセージおよびＯＡＭメッセージをやりとりすることによって、ＯＮＵの登録、離脱および上り帯域割り当てを含めた上りアクセス制御、下り帯域割り当てを含めた下りアクセス制御、ならびにＯＮＵへのスリープ指示を含めたＯＮＵの運用管理などを行なう。
【００４１】
制御ＩＦ部３２は、全体制御部１１からの指示に基づいて、アップリンクＩＦ部３１、受信処理部３３、送信処理部３４、およびＰＯＮ制御部３６への設定を行ない、これら各ユニットの状態を全体制御部１１に通知する。また、これら各ユニットに異常が発生した場合は、全体制御部１１からの指示に依らず、異常が発生したユニットの状態を全体制御部１１に通知する。ＰＯＮ送受信部３５への設定および状態通知は、受信処理部３３を経由して行なわれる。
【００４２】
図３は、本発明の実施の形態に係る試験システムの試験対象である宅側装置の構成を示す図である。
【００４３】
図３を参照して、宅側装置２０２は、ＰＯＮポート２１と、光受信処理部２２と、バッファメモリ２３と、送信処理部２４と、ＵＮＩポート２５と、受信処理部２６と、バッファメモリ２７と、光送信処理部２８と、制御部２９とを備える。
【００４４】
光受信処理部２２は、局側装置２０１から送信される下り光信号をＰＯＮポート２１経由で受信して電気信号に変換し、当該電気信号からフレームを再構成するとともに、フレームの種別に応じてバッファメモリ２３経由で制御部２９または送信処理部２４にフレームを振り分ける。具体的には、光受信処理部２２は、データフレームを送信処理部２４に出力し、制御フレームを制御部２９に出力する。
【００４５】
送信処理部２４は、光受信処理部２２から受けたデータフレームをＵＮＩポート２５経由で図示しないパーソナルコンピュータ等のユーザ端末へ送信する。
【００４６】
受信処理部２６は、ＵＮＩポート２５経由でユーザ端末から受信したデータフレームをバッファメモリ２７経由で光送信処理部２８へ出力する。
【００４７】
制御部２９は、ＭＰＣＰおよびＯＡＭ等、ＰＯＮ回線の制御および管理に関する宅側処理を行なう。すなわち、ＰＯＮ回線に接続されている局側装置２０１とＭＰＣＰメッセージおよびＯＡＭメッセージをやりとりすることによって、アクセス制御等の各種制御を行なう。制御部２９は、各種制御情報を含む制御フレームを生成し、バッファメモリ２７経由で光送信処理部２８へ出力する。
【００４８】
光送信処理部２８は、受信処理部２６から受けたデータフレームおよび制御部２９から受けた制御フレームを光信号に変換し、ＰＯＮポート２１経由で局側装置２０１へ送信する。
【００４９】
図４は、本発明の実施の形態に係る試験システムの構成を示す図である。
【００５０】
図４を参照して、試験システム５０１は、モニタ装置１０１Ａ，１０１Ｂ，１０１Ｃ，１０１Ｄと、局側装置２０１と、複数の宅側装置２０２と、スイッチ装置２０５と、試験用フレーム生成装置（試験用装置）２０６と、管理装置２０７とを備える。なお、宅側装置２０２は、１つだけ設けられてもよい。
【００５１】
モニタ装置１０１Ａは局側装置２０１に接続され、モニタ装置１０１Ｂは宅側装置２０２に接続され、モニタ装置１０１Ｃはスイッチ装置２０５に接続され、モニタ装置１０１Ｄは試験用フレーム生成装置２０６に接続される。また、モニタ装置１０１Ａ，１０１Ｂ，１０１Ｃ，１０１Ｄは互いに接続され、かつ管理装置２０７に接続される。
【００５２】
また、試験用フレーム生成装置２０６は、管理装置２０７に接続され、管理装置２０７によって制御される。
【００５３】
以下、モニタ装置１０１Ａ，１０１Ｂ，１０１Ｃ，１０１Ｄの各々をモニタ装置１０１と称する場合がある。
【００５４】
試験システム５０１は、直列かつ環状に接続された試験用フレーム生成装置２０６、スイッチ装置２０５、各宅側装置２０２、および局側装置２０１間で通信信号たとえば試験用フレームを送受信する。
【００５５】
上り方向の試験において、試験用フレーム生成装置２０６は、ＰＯＮシステム３０１における上りフレームに相当する複数の上り試験用フレームを生成し、スイッチ装置２０５へ順次出力する。これらの上り試験用フレームには、たとえばシリアルナンバーが付される。
【００５６】
スイッチ装置２０５は、試験用フレーム生成装置２０６から受けた上り試験用フレームを振り分けて各宅側装置２０２へ出力するか、またはマルチキャストする。
【００５７】
各宅側装置２０２は、スイッチ装置２０５から受けた電気信号である上り試験用フレームを上り光信号に変換して局側装置２０１へ出力する。
【００５８】
局側装置２０１は、各宅側装置２０２から受けた上り光信号を電気信号に変換して上り試験用フレームを再生し、試験用フレーム生成装置２０６へ出力する。
【００５９】
試験用フレーム生成装置２０６は、局側装置２０１から受けた上り試験用フレームに基づいて、上り方向におけるエラーレートの算出等を行なう。
【００６０】
下り方向の試験において、試験用フレーム生成装置２０６は、ＰＯＮシステム３０１における下りフレームに相当する複数の下り試験用フレームを生成し、局側装置２０１へ順次出力する。これらの下り試験用フレームには、たとえばシリアルナンバーが付される。
【００６１】
局側装置２０１は、試験用フレーム生成装置２０６から受けた電気信号である下り試験用フレームを下り光信号に変換して各宅側装置２０２へ出力する。
【００６２】
各宅側装置２０２は、局側装置２０１から受けた下り光信号を電気信号に変換して下り試験用フレームを再生し、スイッチ装置２０５経由で試験用フレーム生成装置２０６へ出力する。
【００６３】
試験用フレーム生成装置２０６は、スイッチ装置２０５経由で各宅側装置２０２から受けた下り試験用フレームに基づいて、下り方向におけるエラーレートの算出等を行なう。
【００６４】
また、局側装置２０１および宅側装置２０２は、通信履歴として、送受信されたフレームを示すログデータを保持する。また、局側装置２０１および宅側装置２０２は、フレームを送受信するための通信設定を示す設定パラメータを保持する。
【００６５】
より詳細には、局側装置２０１および宅側装置２０２は、試験を開始してから自己の装置において受信された試験用フレームの数を示す受信トラフィックカウンタ、および試験を開始してから自己の装置において送信された試験用フレームの数を示す送信トラフィックカウンタを備える。これらのカウンタは、たとえば、試験用フレームの先頭部分および最後尾部分における所定データが確認されることにより、カウントアップする。
【００６６】
ログデータには、たとえば、日付、時刻、受信トラフィックカウンタのカウント値、送信トラフィックカウンタのカウント値、および受信した試験用フレームのシリアルナンバー、送信した試験用フレームのシリアルナンバーが含まれる。
【００６７】
また、設定パラメータには、たとえば、フレーム送信用のバッファサイズ、フレーム受信用のバッファサイズ、ＱｏＳ（Quality of Service）設定、ＤＢＡ（Dynamic Bandwidth Allocation）設定、および自己の装置内をフレームが通る経路の設定が含まれる。
【００６８】
また、試験用フレーム生成装置２０６、局側装置２０１および宅側装置２０２の各々は、フレームの欠損、およびフレームの順番の入れ替わり等の異常を検出可能であり、異常を検出すると異常情報を対応のモニタ装置１０１へ出力する。なお、スイッチ装置２０５も同様の機能を有してもよい。
【００６９】
これらの異常は、たとえば、クロックのタイミングずれ等の装置自身の不具合に起因して、または各装置間を結ぶ光ファイバ等の伝送線路におけるノイズ等に起因して発生する。
【００７０】
試験用フレームの欠損、および試験用フレームの順番の入れ替わりは、試験用フレーム生成装置２０６、局側装置２０１および宅側装置２０２において、受信した試験用フレームのシリアルナンバーを参照することにより、検出することができる。
【００７１】
管理装置２０７は、各モニタ装置１０１からモニタ情報を受信し、異常が発生した旨を画面に表示して、ユーザに通知する。また、ユーザは、管理装置２０７に当該モニタ情報の内容を表示したり、データとして取得したりすることが可能である。
【００７２】
図５は、本発明の実施の形態に係るモニタ装置の構成を示す図である。
【００７３】
図５を参照して、モニタ装置１０１は、異常情報受信部５１と、異常情報送信部５２と、モニタ情報取得部５３と、モニタ情報送信部５４とを備える。
【００７４】
異常情報受信部５１は、宅側装置２０２、局側装置２０１、試験用フレーム生成装置２０６、またはスイッチ装置２０５である対象装置から異常情報を受信する。対象装置は、モニタ情報の取得対象である。
【００７５】
異常情報送信部５２は、異常情報受信部５１によって受信された異常情報を他のモニタ装置１０１へ送信する。
【００７６】
モニタ情報取得部５３は、異常情報受信部５１経由で対象装置から異常情報を受信して、または他のモニタ装置１０１から異常情報を受信して、対象装置から試験用フレームの通信履歴をモニタ情報として取得する。たとえば、モニタ情報取得部５３は、受信トラフィックカウンタのカウント値および送信トラフィックカウンタのカウント値等、試験用フレームの受信履歴および送信履歴をモニタ情報として対象装置から取得する。
【００７７】
また、モニタ情報取得部５３は、さらに、フレームを送受信するための通信設定をモニタ情報として対象装置から取得する。
【００７８】
モニタ情報送信部５４は、モニタ情報取得部５３によって取得されたモニタ情報を他のモニタ装置１０１と共通の管理装置２０７へ送信する。
【００７９】
［動作］
次に、本発明の実施の形態に係るモニタ装置が監視処理を行なう際の動作について図面を用いて説明する。本発明の実施の形態では、モニタ装置１０１を動作させることによって、本発明の実施の形態に係る試験方法が実施される。よって、本発明の実施の形態に係る試験方法の説明は、以下のモニタ装置１０１の動作説明に代える。なお、以下の説明においては、適宜図４および図５を参照する。
【００８０】
図６は、本発明の実施の形態に係るモニタ装置が監視処理を行なう際の動作手順を定めたフローチャートである。
【００８１】
図６を参照して、まず、モニタ装置１０１は、何らかの異常が発生したことを示す異常情報を受信する（ステップＳ１）。
【００８２】
次に、モニタ装置１０１は、受信した異常情報が対象装置からの異常情報である場合には（ステップＳ２でＹＥＳ）、当該異常情報を他のモニタ装置１０１へ送信し（ステップＳ３）、対象装置からモニタ情報を取得する（ステップＳ４）。具体的には、モニタ装置１０１は、対象装置において保持されているログデータ、および設定パラメータを取得する。
【００８３】
一方、モニタ装置１０１は、受信した異常情報が他のモニタ装置１０１からの異常情報である場合には（ステップＳ２でＮＯ）、当該異常情報の転送は行なわず、対象装置からモニタ情報を取得する（ステップＳ４）。
【００８４】
次に、モニタ装置１０１は、取得したログデータ、および設定パラメータを含むモニタ情報を他のモニタ装置１０１と共通の管理装置２０７へ送信する（ステップＳ５）。
【００８５】
このモニタ情報には、たとえば異常情報の内容が含まれる。具体的には、異常情報受信部５１は、発生した異常の識別情報を含む異常情報を対象装置から受信する。そして、モニタ情報送信部５４は、対象装置または他のモニタ装置１０１から受信した異常情報に含まれる識別情報を、モニタ情報に付して管理装置２０７へ送信する。
【００８６】
より詳細には、対象装置は、異常情報に異常発生時刻等の識別情報を含めて対応のモニタ装置１０１へ送信する。そして、各モニタ装置１０１は、対象装置または他のモニタ装置１０１から受信した異常情報に含まれる当該識別情報をモニタ情報に付して管理装置２０７へ送信する。
【００８７】
これにより、各モニタ装置１０１間でモニタ情報の送信の同期を取ることなく、管理装置２０７において、共通の異常に対応するモニタ情報を特定することができる。
【００８８】
なお、モニタ装置１０１は、対象装置から当該対象装置の識別情報を取得し、モニタ情報に含めて管理装置２０７へ送信する構成であってもよい。より詳細には、モニタ情報取得部５３は、さらに、対象装置から当該対象装置の識別情報を取得する。そして、モニタ情報送信部５４は、対象装置の識別情報をモニタ情報に付して管理装置２０７へ送信する。
【００８９】
このような構成により、管理装置２０７において、各装置のログデータ、および設定パラメータを容易に識別することができる。
【００９０】
また、各モニタ装置１０１は、各モニタ装置１０１間で同期を取って管理装置２０７へモニタ情報を送信する構成とすることも可能である。
【００９１】
ここで、モニタ情報取得部５３は、少なくとも対象装置が宅側装置２０２である場合および局側装置２０１である場合におけるモニタ情報を対比することが可能となるようなモニタ情報を、宅側装置２０２または局側装置２０１から取得する。すなわち、モニタ情報取得部５３は、対象装置が宅側装置２０２である場合、および対象装置が局側装置２０１である場合で共通の試験対象項目に相当するモニタ情報を取得する。
【００９２】
具体的な異常発生部分の検証方法として、たとえば、試験用フレームの欠損を、試験用フレーム生成装置２０６、局側装置２０１および宅側装置２０２におけるトラフィックカウンタのカウント値を比較することによって検出することが考えられる。
【００９３】
すなわち、上り方向の試験において、宅側装置２０２における受信トラフィックカウンタおよび送信トラフィックカウンタのカウント値がそれぞれ１００であり、局側装置２０１における受信トラフィックカウンタおよび送信トラフィックカウンタのカウント値がそれぞれ８０であることを示すモニタ情報が、管理装置２０７において得られたとする。
【００９４】
この場合、局側装置２０１における各カウント値および宅側装置２０２における各カウント値を比較して、局側装置２０１における受信トラフィックカウンタおよび送信トラフィックカウンタのカウント値が等しく、宅側装置２０２における送信トラフィックカウンタのカウント値よりも局側装置２０１における受信トラフィックカウンタのカウント値の方が小さいことが分かる。そうすると、宅側装置２０２の出力部たとえば光送信処理部２８から局側装置２０１の入力部たとえばＰＯＮ送受信部３５の間で異常が発生したと考えることができる。
【００９５】
これに基づき、たとえば宅側装置２０２および局側装置２０１間の光ファイバに不具合があると推測し、当該光ファイバを交換して再度通信試験を行なう。そして、異常が発生しなければ、光ファイバにおいて異常が発生していたと判断することができる。
【００９６】
ところで、試験用のフレームを送受信する複数の装置が設けられた試験システムにおいて、フレーム通信に異常が発生した場合、試験システムのどの部分で異常が発生したかを特定する必要がある。しかしながら、異常発生部分を特定するためには、ある一定の試験期間、各装置間でフレームを送受信させた後に、各装置で取得されたログ情報を１つ１つ検証する必要がある。このため、異常発生部分の特定には手間がかかり、また、試験期間が終了してからでないとログ情報を取得して検証を行なうことができない。また、各装置で取得したログ情報を蓄積しておくためのメモリ容量の制約により、長時間の試験では、試験期間の終了後に必要なデータが残っていない場合がある。
【００９７】
これに対して、本発明の実施の形態に係るモニタ装置では、異常情報受信部５１は、宅側装置２０２、局側装置２０１、スイッチ装置２０５または試験用フレーム生成装置２０６である対象装置から異常情報を受信する。異常情報送信部５２は、異常情報受信部５１によって受信された異常情報を他のモニタ装置１０１へ送信する。モニタ情報取得部５３は、対象装置または他のモニタ装置１０１から異常情報を受信して、対象装置から通信信号たとえばフレームの通信履歴をモニタ情報として取得する。そして、モニタ情報送信部５４は、モニタ情報取得部５３によって取得されたモニタ情報を他のモニタ装置１０１と共通の管理装置２０７へ送信する。
【００９８】
すなわち、試験システム５０１において、各対象装置が通信履歴を保持しておき、各モニタ装置１０１は、異常発生のタイミングに応答して最新の通信履歴を対象装置から取得する。
【００９９】
このような構成により、異常発生のタイミングに応答して異常発生部分の特定に必要な情報を各対象装置から取得し、これらを集約することができるため、試験期間の終了を待つことなく、試験システム５０１における異常発生部分を容易に特定することができる。すなわち、異常発生時にすぐにモニタ情報を取得し、たとえば管理装置２０７において表示することができるため、不具合箇所の早期発見が可能となる。また、各装置で取得したログ情報を蓄積しておくためのメモリ容量を低減することができる。
【０１００】
したがって、本発明の実施の形態に係るモニタ装置では、複数の装置間で通信を行なう試験システムにおいて、異常が発生した部分を簡易な構成で容易に特定することができる。
【０１０１】
ここで、試験期間において、一時的に設定パラメータが誤った値となる異常もあり得る。このような異常は、設定パラメータを保存していないと、試験終了後では発見できない。このため、局側装置２０１、宅側装置２０２、スイッチ装置２０５および試験用フレーム生成装置２０６において、試験期間中の設定パラメータをすべて保存するための膨大な記憶容量が必要になってしまう。
【０１０２】
これに対して、本発明の実施の形態に係るモニタ装置では、モニタ情報取得部５３は、さらに、通信信号を送受信するための通信設定をモニタ情報として対象装置から取得する。
【０１０３】
このように、異常発生時に対象装置から現在の設定パラメータを取得する構成により、対象装置において設定パラメータ用に少量の記憶容量を設ければよくなる。すなわち、局側装置２０１、宅側装置２０２、スイッチ装置２０５および試験用フレーム生成装置２０６の記憶容量を増やすことなく、異常原因の検証を行なうことができる。
【０１０４】
また、本発明の実施の形態に係るモニタ装置では、モニタ情報取得部５３は、少なくとも対象装置が宅側装置２０２である場合および局側装置２０１である場合におけるモニタ情報を対比することが可能となるようなモニタ情報を、宅側装置２０２または局側装置２０１から取得する。
【０１０５】
このような構成により、管理装置２０７において各モニタ装置から取得したモニタ情報を対比して、試験システム５０１における異常発生部分を容易に特定することができる。
【０１０６】
また、本発明の実施の形態に係るモニタ装置では、異常情報受信部５１は、発生した異常の識別情報を含む異常情報を対象装置から受信する。モニタ情報送信部５４は、対象装置または他のモニタ装置１０１から受信した異常情報に含まれる識別情報を、モニタ情報に付して管理装置２０７へ送信する。
【０１０７】
これにより、各モニタ装置間でモニタ情報の送信の同期を取ることなく、管理装置２０７において、共通の異常に対応するモニタ情報を特定することができる。
【０１０８】
また、本発明の実施の形態に係るモニタ装置では、モニタ情報取得部５３は、さらに、対象装置から当該対象装置の識別情報を取得する。そして、モニタ情報送信部５４は、対象装置の識別情報をモニタ情報に付して管理装置２０７へ送信する。
【０１０９】
このような構成により、管理装置２０７において、各対象装置のモニタ情報を容易に識別することができる。
【０１１０】
また、本発明の実施の形態に係るモニタ装置では、モニタ情報取得部５３は、通信信号の受信履歴および送信履歴をモニタ情報として対象装置から取得する。
【０１１１】
このような構成により、対象装置間の伝送路において異常が発生したか、対象装置の内部において異常が発生したかを容易に判別することができる。
【０１１２】
なお、本発明の実施の形態に係る試験システムでは、局側装置２０１、宅側装置２０２、スイッチ装置２０５、および試験用フレーム生成装置２０６を備え、これらが直列かつ環状に接続される構成であるとしたが、これに限定するものではない。試験システム５０１において、宅側装置２０２が１つだけ設けられる場合には、スイッチ装置２０５を備えない構成であってもよい。また、局側装置２０１、宅側装置２０２、スイッチ装置２０５、および試験用フレーム生成装置２０６は、環状に接続される構成に限らず、直列接続されていれば、通信試験を行なうことが可能である。
【０１１３】
また、本発明の実施の形態に係る試験システムにおいて、モニタ装置１０１の対象装置は、宅側装置２０２、局側装置２０１、試験用フレーム生成装置２０６およびスイッチ装置２０５の一部または全部である他、これらの装置とは異なる通信装置を含んでいてもよい。
【０１１４】
また、本発明の実施の形態に係る試験システムでは、試験用フレーム生成装置２０６およびスイッチ装置２０５用のモニタ装置を設ける構成であるとしたが、これに限定するものではない。少なくとも局側装置２０１および宅側装置２０２用のモニタ装置を設ける構成であればよい。ただし、試験用フレーム生成装置２０６用のモニタ装置を設ける構成により、局側装置２０１からの上りフレーム送信、および宅側装置２０２からの下りフレーム送信の異常を検出することが可能となる。
【０１１５】
また、本発明の実施の形態に係る試験システムでは、モニタ装置１０１は、局側装置２０１、宅側装置２０２、スイッチ装置２０５および試験用フレーム生成装置２０６とは別個に設けられる構成であるとしたが、これに限定するものではない。局側装置２０１、宅側装置２０２、スイッチ装置２０５、および試験用フレーム生成装置２０６に監視機能を組み込む構成であってもよい。すなわち、モニタ装置１０１は、単体であってもよいし、対象装置に含まれる構成であってもよい。
【０１１６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１１７】
１１  全体制御部
１２，１２−１〜１２−Ｎ  光回線ユニット（ＯＳＵ）
２１  ＰＯＮポート
２２  光受信処理部
２３  バッファメモリ
２４  送信処理部
２５  ＵＮＩポート
２６  受信処理部
２７  バッファメモリ
２８  光送信処理部
２９  制御部
３１  アップリンクＩＦ部
３２  制御ＩＦ部
３３  受信処理部
３４  送信処理部
３５  ＰＯＮ送受信部
３６  ＰＯＮ制御部
３７，３８  ＦＩＦＯ
５１  異常情報受信部
５２  異常情報送信部
５３  モニタ情報取得部
５４  モニタ情報送信部
１０１Ａ，１０１Ｂ，１０１Ｃ，１０１Ｄ  モニタ装置
２０１  局側装置（ＯＬＴ）
２０２  宅側装置（ＯＮＵ）
２０３−１〜２０３−Ｎ  ＰＯＮ回線
２０４−１〜２０４−Ｎ  光カプラ
２０５  スイッチ装置
２０６  試験用フレーム生成装置（試験用装置）
２０７  管理装置
３０１  ＰＯＮシステム
５０１  試験システム
【図１】
2012151759.tif 000003
【図２】
2012151759.tif 000004
【図３】
2012151759.tif 000005
【図４】
2012151759.tif 000006
【図５】
2012151759.tif 000007
【図６】
2012151759.tif 000008